(57)【要約】      （修正有）【課題】棟を挟んで配置されている全ての部屋の温度上昇やロフトの温度上昇を抑制しながら換気を行うことが可能となるロフト付き建物を提供する。【解決手段】ロフト１５は、棟１６ａの両端側にそれぞれ位置する外壁の間に亙って設けられ、棟側に向けて斜め上方に傾斜する勾配天井１０ａ，１２ａを有する複数の部屋１０，１２が平面視において棟１６ａを挟んで配置され、ロフト１５の側部と部屋１０，１２の上部とが連通しており、屋根１６に天窓２７ａが設けられ、この天窓２７ａとロフト１５の天井１５ａとの間に空洞部３０ａが設けられているので、部屋１０，１２の温度上昇やロフト１５の温度上昇を抑制しながら換気を行うことが可能となり、全ての部屋１０，１２やロフト１５の快適性が向上する。【選択図】図４
2013083146.tif 000002
【特許請求の範囲】
【請求項１】
建物の屋根裏にロフトが設けられたロフト付き建物において、
前記ロフトは、屋根の棟の下方において、当該棟に沿ってかつ前記棟の両端側にそれぞれ位置する外壁の間に亙って設けられ、
前記ロフト側に向けて斜め上方に傾斜する勾配天井を有する複数の部屋が平面視において前記棟を挟んで配置され、
前記ロフトの側部と前記部屋の上部とが連通しており、
前記屋根に天窓が設けられ、この天窓と前記ロフトの天井との間に、前記天窓と前記ロフトに連通する空洞部が設けられていることを特徴とするロフト付き建物。
【請求項２】
請求項１に記載のロフト付き建物において、
前記ロフトの側部には、当該ロフトの天井まで達する壁が設けられており、
この壁に、前記部屋の上部に開口する開口部が複数設けられ、当該開口部によって前記ロフトの側部と前記部屋の上部とが連通していることを特徴とするロフト付き建物。
【請求項３】
請求項２に記載のロフト付き建物において、
前記複数の開口部のうち、少なくとも一つの前記開口部は、当該開口部によって前記ロフトと連通する前記部屋の幅の半分以上の幅でかつ前記ロフトの床から天井までの高さを有する大開口部となっており、
残りの前記開口部は前記壁の下端部に設けられ、当該開口部にガラリが取り付けられていることを特徴とするロフト付き建物。
【請求項４】
請求項３に記載のロフト付き建物において、
前記大開口部には、透明な板材が設けられており、この板材と前記大開口部の上縁部との間に隙間が設けられていることを特徴とするロフト付き建物。
【請求項５】
請求項１〜４のいずれか一項に記載のロフト付き建物において、
平面視において前記棟を挟んで配置されている前記部屋の間に階段ホールが設けられ、この階段ホールと前記ロフトの床との間に階段が設けられていることを特徴とするロフト付き建物。
【請求項６】
建物の屋根裏にロフトが設けられたロフト付き建物において、
前記ロフトは、屋根の棟の下方において、当該棟に沿って設けられており、
前記ロフトに隣接して、上下方向に沿って空気を流通させる風洞部が設けられ、
前記風洞部の下方に部屋または通路が配置され、
前記ロフトの側部と前記風洞部の上部とが連通しており、
前記風洞部の天井は、前記ロフトの天井に対して段差なく連続し、かつ前記ロフト側に向けて斜め上方に傾斜しており、
前記ロフトの天井に換気扇が収容された収容部が設けられるとともに、前記屋根の軒天井または最上階の外壁上部に排気口が設けられ、
前記収容部と前記排気口とがダクトによって接続されていることを特徴とするロフト付き建物。
【発明の詳細な説明】
【技術分野】
【０００１】
本発明は、ロフト付き建物に関する。
【背景技術】
【０００２】
建物の屋根裏にロフトが設けられたロフト付き建物の一例として、特許文献１に記載されたものが知られている。
このロフト付き建物においては、屋根裏に連通する部屋の上部に、屋根裏に位置するロフトが設けられており、このロフトを形成する床部の長さ方向両端が、前記部屋を囲む壁にそれぞれ固定されており、ロフトの側部と部屋の上方とは連通している。
一方、前記部屋には、ロフト近傍の屋根に天窓が設けられており、部屋の空気をロフトを通して天窓へ向かって流通させるようになっている。これによって、ロフトの温度上昇や部屋の温度上昇を抑制しながら換気を行うことが可能となる。
【先行技術文献】
【特許文献】
【０００３】
【特許文献１】特開２００９−６８１９８号公報
【発明の概要】
【発明が解決しようとする課題】
【０００４】
ところで、前記従来のロフト付き建物では、屋根裏に連通する一つの部屋の上部にロフトが屋根の棟の下方に設けられているので、ロフトの温度上昇やこの部屋の温度上昇を抑制しながら換気を行うことが可能となる。
しかし、ロフトはある一つの部屋にのみ設けられており、他の部屋には設けられていないので、他の部屋は屋根裏やロフトに連通していないことになる。したがって、棟を挟んで配置されている部屋のうち、ロフトがない部屋の空気を、ロフトを通して天窓へ向かって流通させることができないので、棟を挟んで配置されている全ての部屋の温度上昇を抑制しながら換気を行うことができなかった。
【０００５】
本発明は上記事情に鑑みてなされたもので、棟を挟んで配置されている全ての部屋の温度上昇やロフトの温度上昇を抑制しながら換気を行うことが可能となるロフト付き建物を提供することを課題としている。
【課題を解決するための手段】
【０００６】
上記課題を解決するために、請求項１に記載の発明は、例えば図１〜図８に示すように、建物の屋根裏にロフト１５が設けられたロフト付き建物において、
前記ロフト１５は、屋根１６の棟１６ａの下方において、当該棟１６ａに沿ってかつ前記棟１６ａの両端側にそれぞれ位置する外壁２０ａ，２０ｂの間に亙って設けられ、
前記ロフト１５側に向けて斜め上方に傾斜する勾配天井１０ａ，１１ａ，１２ａを有する複数の部屋１０，１１，１２が平面視において前記棟１６ａを挟んで配置され、
前記ロフト１５の側部と前記部屋１０，１１，１２の上部とが連通しており、
前記屋根１６に天窓２７ａが設けられ、この天窓２７ａと前記ロフト１５の天井１５ａとの間に、前記天窓２７ａと前記ロフト１５に連通する空洞部３０ａが設けられていることを特徴とする。
【０００７】
請求項１に記載の発明によれば、屋根１６の棟１６ａを挟んで配置されている勾配天井１０ａ，１１ａ，１２ａを有する複数の部屋１０，１１，１２の空気は、勾配天井１０ａ，１１ａ，１２ａに沿って流れてロフト１５に入り、このロフト１５中を流れてロフト１５の天井１５ａから空洞部３０ａを流通して天窓２７ａから外部に流出する。
したがって、屋根１６の棟１６ａを挟んで配置されている全て部屋１０，１１，１２やロフト１５に空気の流れが生じるので、全ての部屋１０，１１，１２の温度上昇やロフト１５の温度上昇を抑制しながら換気を行うことが可能となり、全ての部屋１０，１１，１２やロフト１５の快適性が向上する。
【０００８】
請求項２に記載の発明は、例えば図４〜図８に示すように、請求項１に記載のロフト付き建物において、
前記ロフト１５の側部には、当該ロフト１５の天井１５ａまで達する壁２１ａ，２１ｂが設けられており、
この壁２１ａ，２１ｂに、前記部屋１０，１１，１２の上部に開口する開口部２２ａ，２２ｂ，２２ｃが複数設けられ、当該開口部２２ａ，２２ｂ，２２ｃによって前記ロフト１５の側部と前記部屋１０，１１，１２の上部とが連通していることを特徴とする。
【０００９】
請求項２に記載の発明によれば、ロフト１５の側部にロフト１５の天井１５ａまで達する壁２１ａ，２１ｂが設けられているので、この壁２１ａ，２１ｂに沿って収納物を収納したり、この壁２１ａ，２１ｂに収納棚を設けて、この収納棚に収納物を収納できる。
また、前記壁２１ａ，２１ｂに前記部屋１０，１１，１２の上部に開口する開口部２２ａ，２２ｂ，２２ｃが複数設けられているので、これら開口部２２ａ，２２ｂ，２２ｃを通して、屋根１６の棟１６ａを挟んで配置されている全て部屋１０，１１，１２やロフト１５に空気の流れが生じる。したがって、ロフト１５の側部に壁２１ａ，２１ｂを設けてもロフト１５の温度上昇や全ての部屋１０，１１，１２の温度上昇を抑制しながら換気を行うことが可能となる。
【００１０】
請求項３に記載の発明は、例えば図４〜図８に示すように、請求項２に記載のロフト付き建物において、
前記複数の開口部２２ａ，２２ｂ，２２ｃのうち、少なくとも一つの前記開口部２２ｃは、当該開口部２２ｃによって前記ロフト１５と連通する前記部屋１０の半分以上の幅でかつ前記ロフト１５の床から天井１５ａまでの高さを有する大開口部２２ｃとなっており、
残りの前記開口部２２ａ，２２ｂは前記壁２１ａ，２１ｂの下端部に設けられ、当該開口部２２ａ，２２ｂにガラリ２３，２３が取り付けられていることを特徴とする。
【００１１】
請求項３に記載の発明によれば、大開口部２２ｃによってロフト１５に連通する部屋１０から大開口部２２ｃを通してロフト１５に採光できるので、夜等においても、部屋１０の照明によってロフト１５を明るく照らすことができる。
また、他の開口部２２ａ，２２ｂによってロフト１５に連通する部屋１１，１２からの空気はロフト１５の壁２１ａ，２１ｂの下端部の開口部２２ａ，２２ｂからガラリ２３，２３を通してロフト１５に流入するので、これら流入する空気と前記大開口部２２ｃから流入する空気とでロフト１５全体を換気できる。
【００１２】
請求項４に記載の発明は、例えば図４および図７に示すように、請求項３に記載のロフト付き建物において、
前記大開口部２２ｃには、透明な板材２４が設けられており、この板材２４と前記大開口部２２ｃの上縁部との間に隙間２５が設けられていることを特徴とする。
【００１３】
請求項４に記載の発明によれば、大開口部２２ｃに透明な板材２４が設けられているので、ロフト１５に収納されている収納物が大開口部２２ｃから落下するのを防止できるとともに、板材２４と大開口部２２ｃの上縁部との間に設けられた隙間２５によって空気の流れも確保できる。
【００１４】
請求項５に記載の発明は、例えば図２、図３、図５〜図８に示すように、請求項１〜４のいずれか一項に記載のロフト付き建物において、
平面視において前記棟１６ａを挟んで配置されている前記部屋１１，１２の間に階段ホール１３が設けられ、この階段ホール１３と前記ロフト１５の床との間に階段３１ｂが設けられていることを特徴とする。
【００１５】
請求項５に記載の発明によれば、ロフト１５に階段３１ｂを使用して容易に出入りできる。また、階段３１ｂの階段室３１を通して階段ホール１３の空気がロフト１５に流入するので、これら流入する空気と前記開口部２２ａ，２２ｂ，２２ｃから流入する空気とでロフト全体を換気できる。
【００１６】
請求項６に記載の発明は、例えば図９に示すように、建物の屋根裏にロフト４０が設けられたロフト付き建物において、
前記ロフト４０は、屋根６０の棟６０ａの下方において、当該棟６０ａに沿って設けられており、
前記ロフト４０に隣接して、上下方向に沿って空気を流通させる風洞部４１が設けられ、
前記風洞部４１の下方に部屋４２または通路４３が配置され、
前記ロフト４０の側部と前記風洞部４１の上部とが連通しており、
前記風洞部４１の天井４１ａは、前記ロフト４０の天井４０ａに対して段差なく連続し、かつ前記ロフト４０側に向けて斜め上方に傾斜しており、
前記ロフト４０の天井４０ａに換気扇４４ａが収容された収容部４４が設けられるとともに、前記屋根６０の軒天井６０ｄまたは最上階の外壁４５上部に排気口４６が設けられ、
前記収容部４４と前記排気口４６とがダクト４７によって接続されていることを特徴とする。
【００１７】
請求項６に記載の発明によれば、風洞部４１の空気は、該風洞部４１の天井４１ａに沿って流れてロフト４０に入り、換気扇４４ａからダクトを介して排気口４６へと流通し、該排気口４６から外部へと排出される。
したがって、風洞部４１の下方の部屋４２または通路４３に空気の流れが生じるので、部屋４２または通路４３の温度上昇やロフトの温度上昇を抑制しながら換気を行うことが可能となり、部屋４２または通路４３の快適性が向上する。
また、屋根６０の軒天井６０ｄまたは最上階の外壁４５上部に排気口４６が設けられることにより、例えば棟６０ａや屋根６０の屋根面に排気口４６が設けられる場合に比して、防水処理等にかかる手間を省略できる。
また、風洞部に対して所謂煙突効果が発揮されれば空気の流れをより促進できるので、部屋４２または通路４３の快適性の更なる向上を図ることができる。
【発明の効果】
【００１８】
本発明によれば、屋根の棟を挟んで配置されている全て部屋やロフトに空気の流れが生じるので、全ての部屋の温度上昇やロフトの温度上昇を抑制しながら換気を行うことが可能となり、全ての部屋やロフトの快適性が向上する。
【図面の簡単な説明】
【００１９】
【図１】本発明に係るロフト付き建物の一例を示すもので、建物の１階の平面図である。
【図２】同、建物の２階の平面図である。
【図３】同、建物の屋根裏の平面図である。
【図４】同、建物の側断面図である。
【図５】同、建物の正断面図である。
【図６】同、図３におけるＡ−Ａ線断面図である。
【図７】同、図３におけるＢ−Ｂ線断面図である。
【図８】同、図３におけるＣ−Ｃ線断面図である。
【図９】本発明に係るロフト付き建物の他の一例を示す側断面図である。
【発明を実施するための形態】
【００２０】
以下、図面を参照して本発明に係るロフト付き建物の実施の形態について説明する。
本発明に係るロフト付き建物は、壁や床、屋根といった建物の構成要素を予め工場にてパネル化しておき、施工現場でこれらのパネルを組み立てるという周知のパネル工法によって構築されている。
【００２１】
＜第１実施形態＞
本実施の形態のロフト付き建物は、２階建ての住宅であり、図１は１階の平面図、図２は２階の平面図、図３は屋根裏の平面図を示している。
図１に示すように、１階にはその南側にリビングダイニング１が設けられ、北西の角部に玄関２が設けられている。玄関２とリビングダイニング１との間には階段室３が設けられており、この階段室３に１階から２階に至る階段３ａが設けられている。北東の角部には浴室４と洗面所５が設けられており、浴室４と玄関２との間に部屋６が設けられている。なお、玄関２の玄関ホール２ａに隣接してトイレ７が設けられている。
【００２２】
図２に示すように、２階にはその南側に部屋１０，１１が東西に隣接して設けられており、北側に部屋１２が設けられている。部屋１０の南側の外壁には掃き出し窓１０ｂが設けられ、この掃き出し窓１０ｂの外側にバルコニーが設けられている。また、部屋１１の南側の外壁には窓１１ｂが設けられている。さらに、部屋１２の北側の外壁には窓１２ｂ，１２ｂが左右に離間して設けられている。また、部屋１２の東側の外壁には窓１２ｃが設けられている。
部屋１１，１２間には平面視において前記階段室３が配置されており、この階段室３の西側の外壁には窓３ｂが設けられている。
平面視において屋根１６の棟１６ａを挟んで配置されている部屋１１と部屋１２との間には階段ホール１３が前記階段室３に隣接して設けられており、この階段ホール１３に１階から２階に至る階段３ａが接続されている。また、部屋１０は前記階段ホール１３の東側の部分を含んでおり、この部屋１０の北東の角部にトイレ１４が設けられている。
【００２３】
図３および図４に示すように、屋根１６は切妻屋根であり、屋根裏にはロフト１５が東西に延在して設けられている。このロフト１５は、屋根１６の棟１６ａの下方において、当該棟１６ａに沿ってかつ棟１６ａの両端側にそれぞれ位置する外壁２０ａ，２０ｂ間に亙って設けられている。棟１６ａは平面視において、建物の南北方向における中央より北側にずれており、このため、図４に示すように、屋根１６の北側（左側）の軒１６ｂが南側（右側）の軒１６ｃより高くなっている。そして、前記ロフト１５の床面は北側の軒１６ｂとほぼ等しい高さに位置している。このように、棟１６ａの位置がずれていることによって、ロフト１５を高い位置に設けることができる。
前記部屋１０，１１と部屋１２とは棟１６ａを挟んで配置されており、部屋１０の天井は、図４に示すように、ロフト１５の天井１５ａ側に向けて斜め上方に傾斜する勾配天井１０ａとなっている。この勾配天井１０ａの上端はロフト１５の水平な天井１５ａと接続されている。
【００２４】
また、前記部屋１２の天井は、ロフト１５の床側に向けて斜め上方に傾斜する勾配天井１２ａとなっており、この勾配天井１２ａはロフト１５の側部に設けられた壁２１ａの下端部にロフト１５の床より上方位置で接続されている。この壁２１ａは部屋１０，１２との間にある壁の直上に設けられている。
さらに、部屋１１の天井は、図８に示すように、ロフト１５の床側に向けて斜め上方に傾斜する勾配天井１１ａとなっており、この勾配天井１１ａはロフト１５の側部に設けられた、前記壁２１ａと対向する壁２１ｂの下端部にロフト１５の床より上方位置で接続されている。
勾配天井１０ａ，１２ａは傾斜方向が互いに反対となっており、勾配は、勾配天井１０ａが勾配天井１２ａより大きくなっている。また、勾配天井１１ａは、勾配天井１２ａと傾斜方向が互いに反対となっているが、勾配は勾配天井１２ａと等しくなっている。
【００２５】
ロフト１５の側部に設けられている前記壁２１ａ，２１ｂはロフト１５の天井１５ａまで達しており、この壁２１ａ，２１ｂには複数の開口部２２ａ，２２ｂ，２２ｃが形成されている。
すなわち、図５および図６に示すように、壁２１ａの下端部には、ロフト１５の長手方向略中央部において、横長の長方形状の開口部２２ａ，２２ａが左右に離間して形成されている。この開口部２２ａ，２２ａは、図３に示すように、部屋１２に開口しており、開口部２２ａ，２２ａにはそれぞれガラリ２３が設けられている。この開口部２２ａ，２２ａによってロフト１５の一方の側部と部屋１２の上部とが連通している。また、ガラリ２３は開閉可能となっており、ロフト１５側や部屋１２側から開閉操作できるようになっている。
また、壁２１ｂには、図７に示すように、開口部２２ｂと開口部２２ｃが左右に離間して設けられている。
開口部２２ｂは壁２１ｂの下端部に形成されており、前記開口部２２ａと同様に、横長の長方形状となっている。開口部２２ｂは、図３に示すように、部屋１１に開口しており、この開口部２２ｂにはガラリ２３が設けられている。この開口部２２ｂによってロフト１５の他方の側部と部屋１１の上部とが連通している。また、ガラリ２３は開閉可能となっており、ロフト１５側や部屋１１側から開閉操作できるようになっている。
【００２６】
図３および図７に示すように、開口部２２ｃは、部屋１０の幅の約３／４の幅でかつロフト１５の床から天井１５ａまでの高さを有する大開口部２２ｃとなっている。この大開口部２２ｃには、透明な板材であるガラス板２４が設けられている。ガラス板２４の左右の側縁部と下縁部とはそれぞれ前記大開口部２２ｃの左右縁部と下縁部とに固定されており、ガラス板２４の上縁部と大開口部２２ｃの上縁部との間には隙間２５が設けられている。大開口部２２ｃは、図３および図４に示すように、部屋１０の上部に面しており、隙間２５によってロフト１５の他方の側部と部屋１０の上部とが連通している。
【００２７】
また、図４〜図７に示すように、屋根１６の棟１６ａの近傍には、開閉可能な天窓２７ａ，２７ｂが設けられている。
天窓２７ａは、ロフト１５の天井１５ａの上方に配置されており、この天窓２７ａと天井１５ａとの間に、天窓２７ａとロフト１５に連通する空洞部３０ａが設けられている。
天窓２７ｂは、平面視においてロフト１５の端部に隣接して配置された階段室３１の天井３１ａの上方に配置されており、この天窓２７ｂと天井３１ａとの間に、天窓２７ｂと階段室３１に連通する空洞部３０ｂが設けられている。
【００２８】
前記階段室３１は、図２、図３、図５に示すように、前記階段室３の上方に連続して設けられており、この階段室３１に階段３１ｂが設けられている。この階段３１ｂは、前記階段ホール１３とロフト１５の床との間に設けられ、この階段３１ｂを使用してロフト１５に出入りするようになっている。なお、階段３１ｂは直階段であり、その上端部が前記ロフト１５の床の端部の側部に接続されている。
【００２９】
上記のような構成のロフト付き建物では、屋根１６の棟１６ａを挟んで配置されている部屋１０，１１と部屋１２に、それぞれの窓１０ｂ，１１ｂ，１２ｂから流入した空気は、それぞれの勾配天井１０ａ，１１ａ，１２ａに沿って流れて、ガラリ２３や隙間２５からロフト１５に入り、このロフト中を流れてロフト１５の天井１５ａから空洞部３０ａ，３０ｂを流通して天窓２７ａ，２７ｂから外部に流出する。したがって、屋根１６の棟１６ａを挟んで配置されている全て部屋１０，１１，１２やロフト１５に空気の流れが生じるので、全ての部屋１０，１１，１２の温度上昇やロフト１５の温度上昇を抑制しながら換気を行うことが可能となり、全ての部屋１０，１１，１２やロフト１５の快適性が向上する。
【００３０】
また、部屋１０，１１，１２の天井がそれぞれ勾配天井１０ａ，１１ａ，１２ａとなっており、その最上部にそれぞれ隙間２５、開口部２２ａ，２２ｂが設けられているので、部屋１０，１１，１２の上部に集まる熱気が天井面を暖め輻射熱を発する前に当該熱気を隙間２５、開口部２２ａ，２２ｂを通して排熱し、さらに、ロフト１５から天窓２７ａ，２７ｂから外部に排熱できる。
さらに、開口部２２ａ，２２ｂに設けられたガラリ２３を開閉することによって、冷暖房使用時の効果をコントロールすることができ、また、ガラリ２３の開閉操作はロフト１５側からも行えるため便利である。
【００３１】
また、天窓２７ａ，２７ｂが棟１６ａの近傍に設けられているので、建物内で上に登る熱気を天窓２７ａ，２７ｂから効率的に排熱できる、つまり、建物全体の排熱を効率的に行うことができる。
さらに、天窓２７ａ，２７ｂが切妻屋根の棟１６ａに近い北側に設けられているので、特に南北方向に風が吹く場合、屋根直上を流れる風で天窓２７ａ，２７ｂの近傍が負圧になり、建物内部の排熱をより促進できる。また、棟１６ａを北側にずらしたことにより、屋根１６の南面が北面に比して広くなり、この南面に太陽光発電モジュールをより多く設置することが可能となる。
【００３２】
また、ロフト１５の側部にロフト１５の天井１５ａまで達する壁２１ａ，２１ｂが設けられているので、この壁２１ａ，２１ｂに沿って収納物を収納したり、この壁２１ａ，２１ｂに収納棚を設けて、この収納棚に収納物を収納できる。
さらに、壁２１ａ，２１ｂに部屋１０，１１，１２の上部に開口する開口部２２ａ，２２ｂ，２２ｃが設けられているので、これら開口部２２ａ，２２ｂ，２２ｃを通して全て部屋１０，１１，１２やロフト１５に空気の流れが生じる。したがって、ロフト１５の側部に壁２１ａ，２１ｂを設けてもロフト１５の温度上昇や全ての部屋１０，１１，１２の温度上昇を抑制しながら換気を行うことが可能となる。
【００３３】
また、ロフト１５に連通する部屋１０から大開口部２２ｃのガラス板２４を通してロフト１５に採光できるので、夜等においても、部屋１０の照明によってロフト１５を明るく照らすことができる。
また、ロフト１５に連通する他の部屋１１，１２からの空気はロフト１５の壁２１ａ，２１ｂの下端部の開口部２２ａ，２２ｂからガラリ２３を通してロフト１５に流入するので、これら流入する空気と大開口部２２ｃから流入する空気とでロフト全体を換気できる。
【００３４】
加えて、大開口部２２ｃにガラス板２４が設けられているので、ロフト１５に収納されている収納物が大開口部２２ｃから落下するのを防止できるとともに、ガラス板２４と大開口部２２ｃの上縁部との間に設けられた隙間２５によって空気の流れも確保できる。
また、階段ホール１３とロフト１５の床との間に階段３１ｂが設けられているので、ロフト１５に階段を使用して容易に出入りできる。また、階段３１ｂが設けられている階段室３１を通して階段ホール１３や窓３ｂから流入した空気がロフト１５に流入するので、これら流入する空気と開口部２２ａ，２２ｂ，２２ｃから流入する空気とでロフト全体を換気できる。
【００３５】
＜第２実施形態＞
次に、図９を参照して本発明の第２の実施の形態について説明する。なお、説明の便宜上、上述した第１の実施の形態とは異なる構成部分のみについて説明する。
なお、本実施の形態においては、図９の左側が北の方角とされ、右側が南の方角とされている。
【００３６】
本実施の形態のロフト付き建物は、図９に示すように、建物の屋根裏にロフト４０が東西（図９において紙面と直交する方向）に延在して設けられてなる。
また、ロフト４０下方の２階には複数の部屋および通路４３が設けられている。該複数の部屋のうち、屋根６０の棟６０ａを挟んで一方の側（南側）には部屋４２が配置され、他方の側（北側）には前記通路４３と部屋４８とが配置されている。
前記部屋４２の南側の外壁には掃き出し窓４２ｂが設けられ、この掃き出し窓４２ｂの外側にバルコニーが設けられている。前記通路４３は廊下であり、東西に延在して設けられている。前記部屋４８はトイレであり、扉付きの出入口４８ｂを介して前記通路４３の北側に隣接配置されている。さらに、該部屋４８の北側には外壁４５が設けられている。
なお、図示はしないが、２階には前記部屋４２、前記通路４３、前記部屋４８の他にも部屋が設けられていてもよい。また、１階にも複数の部屋が設けられており、１階と２階との間には階段室が設けられているものとする。
【００３７】
前記ロフト４０は、切妻屋根である屋根６０の棟６０ａの下方において、当該棟６０ａに沿って設けられている。また、該ロフト４０は前記棟６０ａ方向に長尺に形成されている。棟６０ａは平面視において、建物の南北方向における中央より北側にずれており、このため、屋根６０の北側（図９の左側）の軒６０ｂが南側（右側）の軒６０ｃより高くなっている。なお、前記軒６０ｂ，６０ｃには軒天井６０ｄがそれぞれ設けられている。
そして、前記ロフト４０の床面は北側の軒６０ｂと略等しい高さに位置している。このように、棟６０ａの位置がずれていることによって、ロフト４０を高い位置に設けることができる。
【００３８】
前記ロフト４０の東西方向の長さは、前記屋根６０の形状に応じて長い場合もあり、短い場合もある。
例えば前記屋根６０が切妻屋根である場合には、前記ロフト４０は、前記屋根６０の棟６０ａの下方において、当該棟６０ａに沿ってかつ前記棟６０ａの両端側にそれぞれ位置する外壁（例えば第一実施形態の前記外壁２０ａ，２０ｂ）の間に亙って設けられることになり、東西方向の長さは長くなる。
また、例えば前記屋根６０が寄棟屋根や方形屋根のように棟の少ない屋根の場合には、ある程度の天井高を確保した上で東西方向の長さを設定する必要があるため、東西方向の長さは比較的短くなる。
【００３９】
前記部屋４２の天井は、ロフト４０の天井４０ａ側に向けて斜め上方に傾斜する勾配天井４２ａを有する。この勾配天井４２ａの上端はロフト４０の水平な天井４０ａと接続されている。
前記部屋４８の天井４８ａは水平な天井４８ａとなっている。また、前記通路４３の天井４３ａも水平となっており、前記部屋４８の天井４８ａと前記通路４３の天井４３ａは略等しい高さに設定されている。
【００４０】
また、前記部屋４２の勾配天井４２ａは、ロフト４０の側部に設けられた壁５０の上端部に接続されている。
前記壁５０は前記ロフト４０の床から天井４０ａまでの高さに設定されており、該壁５０のうち前記ロフト４０の延在方向の少なくとも一部に、前記部屋４２の勾配天井４２ａ上端部付近と前記ロフト４０の上端部とを連通する開口部５２（隙間）が形成されている。この開口部５２は、前記壁５０の上端部に形成されている。そして、前記開口部５２には、該開口部５２を開閉するガラリ５４が設けられている。
すなわち、前記ロフト４０の前記部屋４２側（南側）の側部と前記部屋４２の上部とが前記開口部５２を介して連通した状態となっている。
なお、本実施の形態において前記開口部５２は、前記ロフト４０の長さ方向に沿って間隔をあけて複数設けられているものとする。
【００４１】
そして、図９に示すように、前記ロフト４０に隣接して、上下方向に沿って空気を流通させる風洞部４１が設けられている。この風洞部４１は、周囲に配置される壁材等によって筒状に形成された空間であり、本実施の形態においては断面積が１平方メートル以下に設定されている。
前記風洞部４１の下方には前記通路４３が配置されており、前記風洞部４１と前記通路４３との間で空気の流通が可能となっている。すなわち、前記通路４３の天井４３ａの一部に開口部が形成され、その上方に前記風洞部４１が設けられた状態となっている。
前記風洞部４１の天井４１ａは前記ロフト４０側に向けて斜め上方に傾斜した勾配天井となっている。さらに、該天井４１ａは前記ロフト４０の天井４０ａに対して段差なく連続している。
【００４２】
また、前記ロフト４０の前記風洞部４１側（北側）の側部には、該ロフト４０の前記部屋４２側の壁５０と対向する壁５１が設けられている。壁５１は前記ロフト４０の床から天井４０ａまでの高さに設定されている。そして、該壁５１には前記風洞部４１に面する開口部５３が形成されている。該開口部５３は、幅寸法が前記風洞部４１の前記壁５１側の一辺の長さと略等しく、高さ寸法が前記ロフト４０の床から天井４０ａまでの高さと略等しく設定されている。
前記開口部５３には手摺り５５が設けられており、この手摺り５５と前記開口部５３の上縁部との間には隙間５３ａが形成されている。
すなわち、前記手摺り５５は前記風洞部４１に面して設けられている。該手摺り５５は、前記ロフト４０の床から天井４０ａまでの高さよりも低く設定されており、これによって、該手摺り５５の上端部と前記開口部５３の上縁部との間に前記隙間５３ａが設けられている。そして、前記ロフト４０の前記風洞部４１側の側部と前記風洞部４１の上部とが、前記隙間５３ａを介して連通した状態となっている。
【００４３】
なお、本実施の形態においては前記手摺り５５を採用しているが、前記ロフト４０の床から天井４０ａまでの高さよりも低く設定された壁パネルを採用してもよい。
また、前記手摺り５５は、ガラス手摺りとしてもよいし、その他の透光性面材を使用した手摺りとしてもよい。いずれの種類の手摺りであっても、前記ロフト４０と前記風洞部４１との間で透光可能となるので好ましい。
【００４４】
前記ロフト４０の天井４０ａには、下方に向かって開口する凹状の収容部４４が形成されており、該収容部４４には、図示しない電源に接続された前記換気扇４４ａが収容されている。また、該収容部４４の開口部にはカバー４４ｂが取り付けられている。つまり、前記換気扇４４ａは前記ロフト４０の天井４０ａに埋め込み設置された状態となっている。そして、前記収容部４４の上端部にはダクト４７の一端部が接続されている。
一方、前記屋根６０の軒天井６０ｄには、下方に向かって開口する部材である排気口４６が埋め込み設置されている。そして、前記排気口４６の上端部にはダクト４７の他端部が接続されている。
すなわち、前記収容部４４と前記排気口４６とが前記ダクト４７によって接続されていることになる。また、前記ダクト４７は、前記屋根６０の内部空間を通過するようにして配管されている。
【００４５】
なお、本実施の形態の排気口４６は、前記軒天井６０ｄに設けられるものとしたが、これに限られるものではなく、建物の最上階の外壁上部に設けられるものとしてもよい。例えば前記部屋４８の外壁４５上部に前記排気口４６を設置してもよい。その際、前記ダクト４７の他端部は、前記外壁４５の内部空間を通過するように配管される。
【００４６】
続いて、以上のような構成の建物の空気の流れについて説明する。
まず、１階と２階との間においては、前記階段室を介して空気の流通が可能となっている。
【００４７】
２階においては、前記部屋４２の上部に集まる熱気は、当該熱気が前記勾配天井４２ａの天井面を暖め輻射熱を発する前に、隙間である前記開口部５２を通して前記ロフト４０側に排気される。さらに、前記換気扇４４ａによって前記ロフト４０から前記ダクト４７および前記排気口４６を介して外部に排気される。
なお、前記ガラリ５４を開閉することによって冷暖房使用時の効果をコントロールすることができ、また、ガラリ５４の開閉操作はロフト４０側からも行えるため便利である。
【００４８】
また、前記通路４３と前記部屋４８との間では前記出入口４８ｂの扉自体や、該出入口４８ｂの上部に設けられるガラリ（図示せず）を介して空気の流通が可能となっている。前記通路４３と前記部屋４２との間でも空気の流通が可能であってもよい。
また、前記通路４３の上部に集まる熱気は、前記風洞部４１へと上昇し、当該熱気が前記天井４１ａの天井面を暖め輻射熱を発する前に前記隙間５３ａを通して前記ロフト４０側に排気される。さらに、前記換気扇４４ａによって前記ロフト４０から前記ダクト４７および前記排気口４６を介して外部に排気される。
つまり、前記風洞部４１は、下端部が下方の前記通路４３に向かって開口し、上端部は当該下端部開口よりも開口面積の小さい前記隙間５３ａとなっており、煙突状に形成されている。これによって、所謂煙突効果によって空気の流れの速さを促進できるので、前記通路４３や前記部屋４８、または前記部屋４２の快適性の更なる向上を図ることができる。
【００４９】
そして、前記ロフト４０内の排気は、前記換気扇４４ａによって強制的に外部へと排出することができるので、建物の２階における換気効率は極めて高いものとなる。
【００５０】
本実施の形態によれば、前記風洞部４１の下方の前記部屋４２または前記通路４３に空気の流れが生じるので、前記部屋４２または前記通路４３の温度上昇や前記ロフト４０の温度上昇を抑制しながら換気を行うことが可能となり、前記部屋４２または前記通路４３の快適性が向上する。
特に、前記通路４３や階段ホール等のホールなどは、寝室や居室等に利用される部屋（例えば前記部屋４２）とは異なり、比較的大きな勾配天井（例えば前記勾配天井４２ａ）の設置が困難な場合がある。このような場合に前記風洞部４１を利用すれば、比較的大きな勾配天井が無くても、換気効率の向上を図ることができる。
【００５１】
また、前記屋根６０の軒天井６０ｄまたは最上階の外壁４５上部に排気口４６が設けられることにより、例えば棟６０ａや屋根６０の屋根面に排気口４６が設けられる場合に比して、防水処理等にかかる手間を省略できる。
特に、前記棟６０ａや屋根面に対して換気口を設ける場合は防水処理等に非常に手間がかかるため、前記排気口４６が、前記軒６０ｂの下方に位置する前記軒天井６０ｄまたは前記外壁４５上部に設けられていれば、防水処理等にかかる手間を省略できる。
しかも、このように前記棟６０ａに換気口を設けない構成を採用すれば、切妻屋根だけでなく、寄棟屋根や方形屋根等のように切妻屋根等に比して棟が少ない屋根を有する建物に対して特に有効である。
【符号の説明】
【００５２】
１０，１１，１２  部屋
１０ａ，１１ａ，１２ａ  勾配天井
１３  階段ホール
１５  ロフト
１５ａ  ロフトの天井
１６  屋根
１６ａ  棟
２０ａ，２０ｂ  外壁
２１ａ，２１ｂ  壁
２２ａ，２２ｂ，２２ｃ  開口部
２２ｃ  大開口部
２３  ガラリ
２４  ガラス板（透明な板材）
２５  隙間
２７ａ，２７ｂ  天窓
３０ａ，３０ｂ  空洞部
３１ｂ  階段
４０  ロフト
４０ａ  天井
４１  風洞部
４１ａ  天井
４２  部屋
４３  通路
４４  収容部
４４ａ  換気扇
４５  外壁
４６  排気口
４７  ダクト
６０  屋根
６０ａ  棟
６０ｄ  軒天井
【図１】
2013083146.tif 000003
【図２】
2013083146.tif 000004
【図３】
2013083146.tif 000005
【図４】
2013083146.tif 000006
【図５】
2013083146.tif 000007
【図６】
2013083146.tif 000008
【図７】
2013083146.tif 000009
【図８】
2013083146.tif 000010
【図９】
2013083146.tif 000011